(57)【要約】【課題】出射面の発光の均一性が高い導光板を提供する。【解決手段】導光板は、入射面と、出射面と、が形成される。前記入射面は、光源から光が入射する端面であって厚み方向に平行な面である。前記出射面は、前記入射面から入射した光が出射する面であって厚み方向に垂直な面である。前記導光板の厚み方向及び前記光源と前記導光板の配列方向の両方に平行な面で切った断面において、前記入射面の少なくとも一部が前記光源側に膨らむ曲線である。【選択図】図５
2017195163.tif 000002
【特許請求の範囲】
【請求項１】
光源から光が入射する端面であって厚み方向に平行な面である入射面と、
前記入射面から入射した光が出射する面であって厚み方向に垂直な面である出射面と、
が形成された導光板において、
前記導光板の厚み方向及び前記光源と前記導光板の配列方向の両方に平行な面で切った断面において、前記入射面の少なくとも一部が前記光源側に膨らむ曲線であることを特徴とする導光板。
【請求項２】
請求項１に記載の導光板であって、
前記断面において、前記入射面の前記曲線が円弧又は楕円弧であることを特徴とする導光板。
【請求項３】
請求項１又は２に記載の導光板であって、
前記断面において、前記入射面の全体が前記光源側に膨らむ曲線であることを特徴とする導光板。
【請求項４】
請求項１から３までの何れか一項に記載の導光板であって、
前記入射面に対して反対側の端面には、前記入射面から入射された光を前記導光板の内側へ反射する反射面が形成されており、
前記断面において、前記反射面の少なくとも一部が入射面の反対側に膨らむ曲線であることを特徴とする導光板。
【請求項５】
請求項１から４までの何れか一項に記載の導光板であって、
前記断面において、前記出射面の少なくとも一部が曲がっている又は曲げ可能に構成されていることを特徴とする導光板。
【請求項６】
請求項１から５までの何れか一項に記載の導光板と、
前記導光板の前記入射面へ光を照射する光源と、
を備えることを特徴とする面照明装置。
【発明の詳細な説明】
【技術分野】
【０００１】
本発明は、主として、エッジライト方式の面照明装置に用いられる導光板に関する。
【背景技術】
【０００２】
エッジライト方式の面照明装置は、光源と、導光板と、を備える。光源は、導光板の端面（側面）へ光を照射する。導光板に照射された光は、導光板内を反射しつつ、別の面（出射面）から均一に出射する。これにより、導光板の側面に光を照射するだけで、出射面の全体を発光させることができる。特許文献１及び２は、エッジライト方式の面照明装置を開示する。
【０００３】
特許文献１には、光源から照射した光を反射部材で反射させた後に導光板に入射する構成の面照明装置が開示されている。特許文献１では、この反射部材として、凹面鏡を用いることができる旨が記載されている。
【先行技術文献】
【特許文献】
【０００４】
【特許文献１】国際公開第２０１２／０７０３３１号
【発明の概要】
【発明が解決しようとする課題】
【０００５】
しかし、特許文献１の構成では、光源、反射部材、及び導光板の３つの部品の位置調整が必要となる。組立て時の位置ズレ及び温度変化等により、光源、反射部材、及び導光板の何れかの位置精度が低い場合、導光板内の光路が大きく変化するおそれがある。また、反射部材又は導光板の形状の精度が低い場合も同様に、導光板内の光路が大きく変化するおそれがある。その結果、出射面から出射する光が不均一となる。
【０００６】
本発明は以上の事情に鑑みてされたものであり、その主要な目的は、出射面の発光の均一性が高い導光板を提供することにある。
【課題を解決するための手段】
【０００７】
本発明の解決しようとする課題は以上の如くであり、次にこの課題を解決するための手段とその効果を説明する。
【０００８】
本発明の第１の観点によれば、以下の構成の導光板が提供される。即ち、この導光板は、入射面と、出射面と、が形成される。前記入射面は、光源から光が入射する端面であって厚み方向に平行な面である。前記出射面は、前記入射面から入射した光が出射する面であって厚み方向に垂直な面である。前記導光板の厚み方向及び前記光源と前記導光板の配列方向の両方に平行な面で切った断面において、前記入射面の少なくとも一部が前記光源側に膨らむ曲線である。
【０００９】
これにより、入射面に入射した光について、進行方向を揃えつつ、導光板の内部に取り込むことができる。更に、入射面から取り込まれた光は、厚み方向の中央側に寄るように光路が変化するため、導光板内を反射する回数が多くなり、出射面の発光の均一性を向上させることができる。
【００１０】
本発明の第２の観点によれば、前記導光板と、前記導光板の前記入射面へ光を照射する光源と、を備える面照明装置が提供される。
【００１１】
これにより、光源と導光板の間に集光装置等を配置することなく、出射面を均一に発光させることができる。
【発明の効果】
【００１２】
本発明によれば、出射面の発光の均一性が高い導光板が実現できる。
【図面の簡単な説明】
【００１３】
【図１】本発明の一実施形態に係る面照明装置の構成を示す斜視図。
【図２】面照明装置のＡ−Ａ断面図。
【図３】従来例の導光板に平行光（水平）、平行光（傾斜）、１点に集まる光が照射されたときの光路の変化を示す断面図。
【図４】本実施形態の導光板に平行光（水平）、平行光（傾斜）、１点に集まる光が照射されたときの光路の変化を示す断面図。
【図５】本実施形態の導光板と従来例の導光板との光路の違いを模式的に示す断面図。
【図６】曲げ可能な導光板（第１変形例）と従来例の導光板の違いを模式的に示す断面図。
【図７】反射面を有する導光板（第２変形例）の構成を示す断面図。
【図８】入射面の曲率半径が板厚の１／２より大きい（凸型曲線）導光板（第３変形例及び第４変形例）を示す断面図。
【図９】入射面が楕円弧である導光板（第５変形例から第７変形例）を示す断面図。
【図１０】入射面の一部が曲面である導光板（第８変形例から第９変形例）を示す断面図。
【図１１】側面が曲面である導光板（第１０変形例）を示す斜視図。
【発明を実施するための形態】
【００１４】
次に、図面を参照して本発明の実施形態を説明する。初めに、図１及び図２を参照して、面照明装置１の構成について説明する。図１は、本発明の一実施形態に係る面照明装置１の構成を示す斜視図である。図２は、面照明装置１のＡ−Ａ断面図である。
【００１５】
図１に示すように、面照明装置１は、光源ホルダ１０と、光源２０と、導光板３０と、を備えている。また、以下の説明において、導光板の厚み方向を単に厚み方向と称する場合があり、光源２０と導光板３０の配列方向を単に配列方向と称する場合がある。また、厚み方向及び配列方向の両方と垂直な方向を光源長手方向と称する。
【００１６】
光源２０は、光源長手方向に並べて配置された複数の発光素子（本実施形態では発光ダイオード）である。従って、光源２０は、光源長手方向にわたって対象物である導光板３０に光を照射可能である。なお、光源２０は、発光ダイオード以外から構成されていても良い。例えば、光源２０は、ＣＣＦＬ（冷陰極管）、ＨＣＦＬ（熱陰極蛍光灯）、ＥＬ（エレクトロルミネッセンス）であっても良い。また、光源２０は、点光源を並べて配置した構成に限られず、線状の光源を配置した構成であっても良い。
【００１７】
光源ホルダ１０は、光源２０を取付可能に構成されている。また、光源ホルダ１０は、光源２０と導光板３０の間を覆うように配置されるとともに、少なくとも内面が光を反射可能な材料で構成されている。この構成により、光源２０が照射した光の一部は、光源ホルダ１０の内面で反射し、導光板３０に入射される。これにより、光源２０が照射した光の損失を抑えることができる。
【００１８】
導光板３０は、本実施形態では長方形の板状の部材である。導光板３０は、光を透過可能であれば材料は任意であり、アクリル又はポリカーボネート等の樹脂製であっても良いし、ガラス製であっても良い。図１に示すように、導光板３０には、入射面３１と、出射面３２と、が形成されている。
【００１９】
入射面３１は、導光板３０の側面（端面）であり、厚み方向に平行な面（かつ光源長手方向に平行な面）と言い換えることもできる。また、導光板３０は、光源２０と入射面３１とが対向するように（言い換えれば、入射面３１の長手方向が光源長手方向と一致するように）配置される。この構成により、光源２０が照射した光は、入射面３１の略全体から導光板３０の内部に入射する。
【００２０】
また、図１及び図２に示すように、入射面３１は曲面である。具体的には、図２（厚み方向及び配列方向の両方に平行な面で切った断面、光源長手方向に垂直な面で切った断面）において、入射面３１は、光源２０側に膨らむ曲線である。本実施形態では、入射面３１は、曲率半径が導光板３０の板厚の１／２の円弧（内角が１８０°の扇形）である。
【００２１】
曲面状の入射面３１は、切削又は研磨等の機械加工で形成しても良いし、型を用いて形成しても良い。また、導光板３０の端面を溶融させることで表面張力により端面を曲面にし、その状態で冷却することで入射面３１を形成することもできる。入射面３１の表面は、入射面３１へ入射時に光の進行方向が乱れない程度に平坦であることが好ましい。なお、入射面３１が曲面であることの利点については後述する。
【００２２】
出射面３２は、導光板３０の表面（厚み方向に垂直な面、面積が最も大きな面）である。入射面３１から入射された光は、導光板３０の内部を反射しながら入射面３１の反対側の端面へ進む。その過程で、当該光は、出射面３２から外部に出射される。この構成により、出射面３２の略全体を発光させることができる。
【００２３】
本実施形態の面照明装置１は、図１に示すように、液晶パネル４０のバックライトとして用いられる。なお、液晶パネル４０は、例えば液晶層、カラーフィルタ、ガラス基板、偏光フィルム等で構成されている。この構成により、入射面３１に光を照射するだけで、液晶パネルに均一に光を照射することができる。
【００２４】
なお、出射面３２からより均一に光が出射されるために、導光板３０と液晶パネル４０の間に、拡散シートを設けても良い。また、同様の目的で、出射面３２の表面に溝、凹部、又は凸部を形成しても良い。また、出射面３２に対向する面からの光の出射を防止するために、この面に反射シート又は反射板を設けても良い。
【００２５】
また、図１に示す導光板３０は、長方形の板状であるが、正方形等の別の多角形の板状であっても良いし、円板状であっても良い。また、導光板３０は、平板に限られず、曲面板であっても良い。導光板３０が曲面板である場合、出射面３２は曲面状となる。また、図１に示す面照明装置１は、導光板３０の１つの端面に光を照射するが、２つ以上の端面に光を照射する構成であっても良い。また、光が出射面３２から均一に出射されるのであれば、入射面３１の一部に光を照射する構成であっても良い。
【００２６】
次に、図３から図５を参照して、入射面３１が光源２０側に膨らむ曲面であることの利点について、従来例の導光板８０と比較しながら説明する。なお、図３以降の断面図において、図面を見易くするためにハッチングを省略する。
【００２７】
従来例の導光板は、図３に示すように端面が平面状（図３の断面において直線状）となっている。また、導光板８０には、導光板３０と同様に、入射面８１と、出射面８２と、が形成されている。
【００２８】
光源２０からは、様々な進行方向の光が照射される。また、この光は、光源ホルダ１０の内面で反射した場合は、更に進行方向が変化する。従って、入射面３１には、あらゆる進行方向の光が入射される。
【００２９】
図３（ａ）には、従来例の導光板８０の入射面８１に、出射面８２に平行な平行光が入射されたときの光の進行方向の変化が示されている。従来例の導光板８０では、出射面８２に平行な平行光が入射されたときは、光の進行方向が変化しない。従って、この光は出射面８２から出射されない。
【００３０】
これに対し、図４（ａ）には、本実施形態の導光板３０の入射面３１に、出射面３２に平行な平行光が入射されたときの光の進行方向の変化が示されている。本実施形態の導光板３０では、出射面３２に平行な平行光は、入射面３１を通過することで、それぞれ導光板３０の内側（厚み方向の中央側）を向くように進行方向が変化する。これにより、出射面３２に平行な光が入射された場合であっても、当該光が導光板８０内を反射しながら進むため、当該光の一部は出射面３２から出射される。従って、光源２０の光を有効に活用できる。なお、入射面３１の厚さ方向の端部から入射した光が出射面３２となす角を角度α（図４（ａ）を参照）とし、導光板３０をガラスと仮定した場合、当該光は角度αでも全反射する。
【００３１】
図３（ｂ）には、従来例の導光板８０の入射面８１に、出射面８２に対して傾斜した平行光が入射されたときの光の進行方向の変化が示されている。従来例の導光板８０では、出射面８２に対する傾斜角が小さくなるように、光の進行方向が変化する。出射面８２に対する傾斜角が小さい場合、図５（ａ）に示すように、導光板８０内を反射する回数が減るため、出射面８２から出射される光が不均一になる可能性がある。
【００３２】
これに対し、図４（ｂ）には、本実施形態の導光板３０の入射面３１に、出射面３２に対して傾斜した平行光が入射されたときの光の進行方向の変化が示されている。本実施形態の導光板３０では、出射面３２に対して傾斜した平行光は、入射面３１を通過することで、それぞれ導光板３０の内側に移動するように（出射面３２に対する傾斜角が大きくなるように）進行方向が変化する。出射面３２に対する傾斜角が大きい場合、図５（ｂ）に示すように、導光板３０内を反射する回数が増えるため、出射面８２から出射される光をより均一にすることができる。
【００３３】
図３（ｃ）には、入射面８１上の１点に集まるような光が入射されたときの光の進行方向の変化が示されている。入射面８１に入射するまでの光の広がりを示す角度をθ１とし、入射面８１に入射された後の光の広がりを示す角度をθ２とする。従来例の導光板８０では、空気と導光板８０の屈折率の違いによりθ１＞θ２が成立する。
【００３４】
図４（ｃ）には、入射面３１上の１点に集まるような光が入射されたときの光の進行方向の変化が示されている。入射面３１に入射するまでの光の広がりを示す角度をθ１とし、入射面３１に入射された後の光の広がりを示す角度をθ３とする。この場合、θ１＞θ２＞θ３が成立する。また、本実施形態では、このような光が入射された場合であっても、出射面３２に対する傾斜角が大きくなるように進行方向が変化する。従って、様々な方向の光を出射面３２に対する傾斜角が大きくなる方向に変化させることができるので、導光板３０内を反射する回数が増えるため、出射面８２から出射される光をより均一にすることができる。
【００３５】
また、従来例の導光板８０は、導光板８０内を光があまり反射しないこともあり、詳細な光路設計が必要であった。また、この設計を実現するために、光源２０及び導光板８０の位置及び形状に高い精度が要求されていた。これに対し、本実施形態の導光板８０は、様々な方向の光を出射面３２に対する傾斜角が大きくなる方向に変化させることができるので、位置又は形状に多少のズレがあった場合においても出射面３２を均一に発光させることができる。
【００３６】
次に、図５を参照して、上記実施形態の第１変形例を説明する。なお、変形例の説明においては、上記の実施形態と同一又は類似の部材には図面に同一の符号を付し、説明を省略する場合がある。
【００３７】
上記の実施形態では、導光板３０はガラス等で構成されており、可撓性を有していない。これに対し、第１変形例では、導光板３０がシリコーンゴム、ウレタンゴム、又はアクリル樹脂を含む樹脂組成物で構成されており、可撓性を有している。
【００３８】
上述のように、従来例の導光板８０は、導光板８０内を光があまり反射しないが、詳細な光路設計を行い高い位置精度で部品を配置することで、出射面８２から均一に光を出射させている。しかし、導光板８０を少し曲げるだけで、光の入射角が変化して反射方向が変わるため、導光板８０内の光路が変化する。その結果、出射面８２から均一に光が照射されなくなる（図６（ａ）を参照）。
【００３９】
これに対し、第１変形例の導光板３０は、様々な方向の光を出射面３２に対する傾斜角が大きくなる方向に変化させることができるので、導光板８０が曲げられた場合であっても、出射面３２を均一に発光させることができる（図６（ｂ）を参照）。
【００４０】
なお、第１変形例では、導光板３０が可撓性を有しているが、曲げが形成されており、可撓性を有していない構成の導光板３０（湾曲した導光板）にも本発明を適用できる。
【００４１】
次に、図７を参照して、上記実施形態の第２変形例を説明する。
【００４２】
上記の実施形態では、入射面３１の反対側の端面は直線状であり、更に反射板、反射シート等は設けられていない。これに対し、第２変形例では、図７（ａ）に示すように、入射面３１の反対側の端面（反射面３３）には、反射板が設けられており、導光板３０の内側から入射した光を反射可能である。更に、反射面３３は、入射面３１と反対側に膨らむ曲面となっている。言い換えれば、厚み方向及び配列方向の両方に平行な面で切った断面において、反射面３３は外側に膨らむ曲線となっている。
【００４３】
この構成により、図７（ｂ）に示すように、導光板３０の内部から伝わった様々な方向の光を、出射面３２に対する傾斜角が大きくなる方向に反射することができるので、出射面３２を均一に発光させることができる。また、反射面３３から光が漏れないので、光源２０が照射した光を効率的に用いることができる。
【００４４】
次に、図８を参照して、第３変形例及び第４変形例を説明する。
【００４５】
上記の実施形態では、厚み方向及び配列方向の両方に平行な面で切った断面において、入射面３１の円弧の曲率半径は板厚の１／２である。これに対し、第３変形例及び第４変形例では、この断面（図８）における入射面３１の円弧の曲率半径は、板厚の１／２より大きい（凸型曲線）。ここで、凸型曲線とは、板端部の曲面が略球形をなし、導光板３０全体でおたまじゃくし型となる形状を表す。この構成により、入射面３１の表面積を大きくすることができるので、上記の実施形態よりも導光板３０の内部に取り込める光量が増え、出射面３２を明るく発光させることができる。特に、光源２０の大きさ（厚さ方向の長さ）が導光板の板厚より大きい場合であっても、第３変形例及び第４変形例の入射面３１を用いることで、光源２０の光を十分に取り込むことができる。
【００４６】
図８（ａ）の第３変形例の導光板３０においては、入射面３１は、導光板３０の端部を加工する等して形成されており、円弧状の部分と平板状の部分の境界は存在しない。これに対し、図８（ｂ）の第４変形例の導光板３０は、円弧状の端面部３５と、平板状の導光板本体３４と、が接合される構成である。端面部３５は、導光板本体３４に接合されており、導光板３０の構成要素であるので、同様の効果を発揮させることができる。
【００４７】
次に、図９を参照して、第５変形例から第７変形例を説明する。
【００４８】
上記の実施形態及び変形例では、断面における入射面３１は円弧であったが、第５変形例から第７変形例では、断面における入射面３１が楕円弧である。具体的には、第５変形例では、楕円の長軸と板厚が等しく、短軸が板厚より短い。第６変形例では、楕円の短軸と板厚が等しく、長軸が板厚より長い。第６変形例では、楕円の長軸が板厚方向で板厚より長い。
【００４９】
また、入射面３１は、断面において光源２０側に膨らむ曲線であれば良く、円弧、楕円弧以外の曲線であっても良い。
【００５０】
次に、図１０を参照して、第８変形例及び第９変形例を説明する。
【００５１】
上記の実施形態及び変形例では、断面における入射面３１の全体が曲線であったが、第８変形例及び第９変形例では、断面における入射面３１の一部が曲線である。具体的には、第８変形例では、断面における入射面３１の厚さ方向の端部が曲線（光源２０側に膨らむ曲線）であり、厚さ方向の中央部が直線（厚さ方向に平行な線）である。第９変形例では、断面における入射面３１の厚さ方向の端部が直線（厚さ方向に平行な線）であり、厚さ方向の中央部が曲線（光源２０側に膨らむ曲線）である。
【００５２】
次に、図１１を参照して、第１０変形例を説明する。
【００５３】
上記の実施形態及び変形例では、入射面３１及び反射面３３以外の導光板３０の側面（光源長手方向と垂直な面、配列方向に延びる面）は、平面であった。これに対し、第１０変形例では、図１１に示すように、この側面１００及び側面１０１が曲面である。具体的には、側面１００，１０１は、入射面３１等と同様に、断面（配列方向に垂直な面で切った断面）が円弧となるように構成されている。なお、側面１００，１０１の断面は、光源長手方向の外側に突出する曲線であれば、円弧に限られず、例えば楕円弧等、他の変形例で示した形状にすることができる。
【００５４】
また、側面１００，１０１には、第２変形例と同様に、反射板等が設けられており、導光板３０の内側から入射した光を反射可能である。従って、入射面３１から入射され、導光板３０内から側面１００，１０１を介して外側へ向かう光を、導光板３０の内側に戻すことができる。
【００５５】
以上の構成により、第２変形例と同様に、導光板３０の内部から伝わった様々な方向の光を、出射面３２に対する傾斜角が大きくなる方向に反射することができるので、出射面３２を均一に発光させることができる。
【００５６】
上記では、複数の変形例を説明したが、それぞれの変形例の特徴を適宜組み合わせることができる。例えば、第１変形例と、第２変形例から第１０変形例のうち少なくとも１つと、を組み合わせることができる（第２変形例以降についても同様）。具体的には、可撓性を有する導光板３０（第１変形例）に反射面３３（第２変形例）を設けても良い。また、第２変形例と第１０変形例とを組み合わせることで、導光板３０から光が一層漏れにくくなるので、出射面３２をより均一に発光させることができる。
【００５７】
以上に説明したように、上記の導光板３０には、入射面３１と、出射面３２と、が形成される。入射面３１は、光源２０から光が入射する端面であって厚み方向に平行な面である。出射面３２は、入射面３１から入射した光が出射する面であって厚み方向に垂直な面である。導光板３０の厚み方向及び光源２０と導光板３０の配列方向の両方に平行な面で切った断面において、入射面３１の少なくとも一部が光源２０側に膨らむ曲線である。
【００５８】
これにより、入射面３１に入射した光について、進行方向を揃えつつ、導光板３０の内部に取り込むことができる。更に、入射面３１から取り込まれた光は、厚み方向の中央側に寄るように光路が変化するため、導光板３０内を反射する回数が多くなり、出射面３２の発光の均一性を向上させることができる。
【００５９】
また、上記の導光板３０の断面において、入射面３１の曲線が円弧又は楕円弧である。
【００６０】
これにより、入射面３１を単純な形状にできるので、導光板３０の光路設計及び製造等が容易になる。
【００６１】
また、上記の導光板３０の断面において、入射面３１の全体が光源２０側に膨らむ曲線である。
【００６２】
これにより、曲面に入射する光が多くなるので、本発明の効果をより有効に発揮させることができる。
【００６３】
また、上記の導光板３０では、入射面３１に対して反対側の端面には、入射面３１から入射された光を導光板３０の内側へ反射する反射面３３が形成されている。導光板３０の断面において、反射面３３の少なくとも一部が入射面３１の反対側に膨らむ曲線である。
【００６４】
これにより、入射面３１から取り込まれた光が反射面３３に到達した場合であっても、導光板３０の内側へ光が反射するため、光源２０が照射した光を有効に活用できる。特に、反射面３３が上記の形状であるため、入射時と同様に、反射光の進行方向を揃えつつ、かつ、厚み方向の中央側に寄るように光路を変化させることができる。従って、出射面３２の発光の均一性を向上させることができる。
【００６５】
また、上記の導光板３０は、出射面３２の少なくとも一部が曲がっている、又は、導光板３０が曲げ可能に構成されている。
【００６６】
即ち、出射面３２が曲がっている場合は少しの誤差で光路が大きく変化する。また、導光板３０が曲げ可能に構成されている場合は、導光板３０が曲がることで光路が大きく変化する。従って、これらの特徴を有する場合、出射面３２を均一に発光させることが困難となる。この点、本実施形態では、導光板３０内を反射する回数が多いため、このような導光板３０においても、出射面３２を均一に発光させることができる。
【００６７】
以上に本発明の好適な実施の形態及び変形例を説明したが、上記の構成は例えば以下のように変更することができる。
【００６８】
上記の実施形態及び変形例では、光源２０が照射した光を入射面３１に直接照射する構成であるが、鏡等を介して入射面３１に照射しても良い。特許文献１と異なり、本実施形態の面照明装置１は位置精度があまり要求されないので、この構成を採用しても、出射面３２から均一に光を出射できる。
【００６９】
上記の実施形態及び変形例では、入射面３１は、厚み方向の中央を通る線を対称線として対称であるが、非対称であっても良い。
【００７０】
上記の実施形態では、面照明装置１を液晶ディスプレイのバックライトに適用する例を説明したが、面照明装置１は、別の用途に適用することもできる。例えば、面照明装置１は、案内表示又はポスター等のバックライトに適用できる。また、面照明装置１は、バックライト以外にも適用できる。
【符号の説明】
【００７１】
１  面照明装置
１０  光源ホルダ
２０  光源
３０  導光板
３１  入射面
３２  出射面
３３  反射面
【図１】
2017195163.tif 000003
【図２】
2017195163.tif 000004
【図３】
2017195163.tif 000005
【図４】
2017195163.tif 000006
【図５】
2017195163.tif 000007
【図６】
2017195163.tif 000008
【図７】
2017195163.tif 000009
【図８】
2017195163.tif 000010
【図９】
2017195163.tif 000011
【図１０】
2017195163.tif 000012
【図１１】
2017195163.tif 000013